(57)【要約】【課題】  タイムコードを自動受信するか否かの設定が簡単で、且つ、タイムコードを適正に受信できない環境下での受信動作による電力の浪費を抑制すること。【解決手段】  受信回路１０９はアンテナ１０８を介してタイムコードを受信し出力し、制御回路１０３は計時している時刻を前記タイムコードに対応する時刻に修正する。竜頭が時刻修正位置に操作されると、入力回路１１０がこれを表す操作信号を出力する。制御回路１０３は前記操作信号に応答して受信回路１０９の受信動作をオフに制御する。このとき、前記竜頭を操作することにより、手動によって時刻修正が行われる。【選択図】  図１
2008128877.tif 000002
【特許請求の範囲】
【請求項１】
現在時刻を表すタイムコードを無線で受信し出力する受信手段と、時刻を計時する計時手段と、前記計時手段の計時時刻を表示する表示手段と、前記計時手段が計時している時刻を、前記受信手段によって受信したタイムコードに対応する時刻に修正する時刻修正手段と、所定の時刻修正位置において時刻修正操作が可能な操作手段と、前記操作手段が前記時刻修正位置に位置するときに前記受信手段の受信動作をオフに制御する制御手段とを備えて成ることを特徴とする電波時計。
【請求項２】
前記制御手段は、前記操作手段が所定操作されて前記時刻修正位置以外の位置に位置するときに前記受信手段の受信動作をオンに制御することを特徴とする請求項１記載の電波時計。
【請求項３】
前記受信手段の受信動作をオンさせるための受信動作オン操作手段を有し、前記制御手段は、前記受信動作オン操作手段が操作されたときに前記受信手段の受信動作をオンに制御することを特徴とする請求項１記載の電波時計。
【請求項４】
前記操作手段は竜頭を有し、前記制御手段は、前記竜頭が前記時刻修正位置に位置するときに前記受信手段の受信動作をオフに制御することを特徴とする請求項１乃至３のいずれか一に記載の電波時計。
【請求項５】
前記制御手段は、前記竜頭が所定操作されて前記時刻修正位置以外の位置に位置するときに前記受信手段の受信動作をオンに制御することを特徴とする請求項４記載の電波時計。
【発明の詳細な説明】
【技術分野】
【０００１】
本発明は、無線によって受信したタイムコードに基づいて時刻を修正する電波時計に関する。
【背景技術】
【０００２】
従来から、現在時刻を表すタイムコードを含む標準電波信号を無線によって受信し、電波時計内部の時刻を修正する電波時計が利用されている。電波時計に誤差が生じた場合でも、受信したタイムコードに基づいて時刻修正することにより、正確な時刻に修正して表示することが可能である。
ところで、電波時計は標準電波信号を受信するための受信手段を備えており、前記受信手段は大きな電力を消耗するため、前記受信手段の消費電力を低減することによって省電力化を図った電波時計が開発されている。
【０００３】
例えば、特許文献１には、発電状態に応じてタイムコードの自動受信頻度を減少させることによって節電時の自動受信回数を少なくし、受信動作を電源の情況に応じて変更するようにした電波時計が開示されている。
また、特許文献２には、受信情況に応じてタイムコードの自動受信頻度を減少させるようにした電波時計が開示されている。
前記各特許文献記載の発明においては省電力化を図ることが可能であるが、タイムコードを自動受信するタイミングの設定が煩雑であり又、標準電波信号を正常に受信できない環境下でも、受信動作を所定回数繰り返すため、大きな電力が無駄に消費されるという問題がある。
【０００４】
【特許文献１】特開２００２−１３９５８６号公報（段落〔００１４〕〜〔００１７〕、図１）
【特許文献２】特開２００４−３９２７号公報（段落〔００３４〕〜〔００５７〕、図１〜図４）
【発明の開示】
【発明が解決しようとする課題】
【０００５】
本発明は、タイムコードを自動受信するか否かの設定が簡単で、且つ、タイムコードを適正に受信できない環境下での受信動作による電力の浪費を抑制することを課題としている。
【課題を解決するための手段】
【０００６】
本発明によれば、現在時刻を表すタイムコードを無線で受信し出力する受信手段と、時刻を計時する計時手段と、前記計時手段の計時時刻を表示する表示手段と、前記計時手段が計時している時刻を、前記受信手段によって受信したタイムコードに対応する時刻に修正する時刻修正手段と、所定の時刻修正位置において時刻修正操作が可能な操作手段と、前記操作手段が前記時刻修正位置に位置するときに前記受信手段の受信動作をオフに制御する制御手段とを備えて成ることを特徴とする電波時計が提供される。
受信手段は現在時刻を表すタイムコードを無線で受信し出力する。時刻修正手段は計時手段が計時している時刻を、前記受信手段によって受信したタイムコードに対応する時刻に修正する。制御手段は操作手段が時刻修正位置へ操作されたときに前記受信手段の受信動作をオフに制御する。
【０００７】
ここで、前記制御手段は、前記操作手段が所定操作されて前記時刻修正位置以外の位置に位置するときに前記受信手段の受信動作をオンに制御するように構成してもよい。
また、前記受信手段の受信動作をオンさせるための受信動作オン操作手段を有し、前記制御手段は、前記受信動作オン操作手段が操作されたときに前記受信手段の受信動作をオンに制御するように構成してもよい。
【０００８】
また、前記操作手段は竜頭を有し、前記制御手段は、前記竜頭が前記時刻修正位置に位置するときに前記受信手段の受信動作をオフに制御するように構成してもよい。
また、前記制御手段は、前記竜頭が所定操作されて前記時刻修正位置以外の位置に位置するときに前記受信手段の受信動作をオンに制御するように構成してもよい。
【発明の効果】
【０００９】
本発明によれば、タイムコードを自動受信するか否かの設定が簡単で、且つ、タイムコードを適正に受信できない環境下での受信動作による電力の浪費を抑制することが可能になる。
また、タイムコードの受信環境に応じて、受信動作のオン、オフ切り換えを行うことが可能になる。
また、受信動作のオン、オフ切り換えを意識することなく、電波時計の通常使用の流れに沿った操作を行うことにより、受信動作のオン、オフ切換を容易に行うことができ、違和感のない操作を行うことが可能になる。
【発明を実施するための最良の形態】
【００１０】
図１は、本発明の実施の形態に係る電波時計のブロック図で、第１〜第３の実施の形態に共通するブロック図である。
図１において、電波時計は、所定周波数の信号を出力する発振回路１０１、発振回路１０１からの信号を分周して計時動作の基準となる時間信号を出力する分周回路１０２、前記時間信号に基づく計時動作を行って時刻表時用制御信号の出力処理や電波時計の各構成要素の制御処理あるいは後述する処理等を行う制御回路１０３、制御回路１０３からの制御信号に応答してモータ駆信号を出力するモータドライバ回路１０４、前記モータ駆動信号によって回転駆動されるモータ１０５、モータ１０５の回転を伝達する輪列１０６、輪列１０６によって回転駆動される時刻針（時針や分針等）を有する表示部１０７、タイムコードを含む標準電波信号を無線によって受信するアンテナ１０８、アンテナ１０８によって受信した標準電波信号に含まれるタイムコードを出力する受信回路１０９、竜頭（図示せず）の操作に応じた操作信号を入力する入力回路１１０を備えている。
【００１１】
ここで、制御回路１０３は、時間信号を計数することによって現在時刻を計時しており、計時手段を構成している。また、制御回路１０３は計時している現在時刻を、受信したタイムコードに対応する時刻に修正する時刻修正手段、入力回路１１０からの所定の操作信号に応答して受信回路１０９の受信動作をオフに制御する制御手段を構成している。アンテナ１０８及び受信回路１０９はタイムコードを無線によって受信する受信手段を構成している。また、表示部１０７は表示手段を構成し、入力回路１１０は後述する竜頭とともに操作手段を構成している。
【００１２】
図２は、本発明の第１の実施の形態の処理を示すフローチャートであり、主として、制御回路１０３の処理を示している。
また、図３は、本発明の第１の実施の形態の動作を説明するための外観図である。電波時計は、時針３０１、分針３０２及び秒針３０３から成る時刻針と、竜頭３０４を備えている。竜頭３０４は矢印Ｂ方向に１段だけ引き操作可能に構成されている。図２の入力回路１１０は、竜頭３０４の状態を検出して、その状態に応じた操作信号を出力する。竜頭３０４は入力回路１１０とともに操作手段を構成している。
【００１３】
以下、図１〜図３を用いて、本発明の第１の実施の形態の動作を説明する。
電波時計は、分周回路１０２からの時計信号に基づく計時動作を行う通常モードでは制御回路１０３が分周回路１０２からの時計信号を計数することによって計時動作を行い、前記計時時刻に対応する制御信号をモータドライバ回路１０４に出力する。モータドライバ回路１０４は、前記制御信号に対応する駆動信号によってモータ１０５を回転駆動する。モータ１０５は輪列１０６を介して表示部１０７の時刻針を回転駆動し、表示部１０７に現在時刻のアナログ表示を行う。
【００１４】
標準電波信号に含まれるタイムコードを受信して時刻修正を行う時刻修正モーでは、制御回路１０３は、受信回路１０９の電源をオンにすることによって受信回路１０９に標準電波信号の受信動作を行わせる。受信回路１０９は、アンテナ１０８によって受信した標準電波信号に含まれるタイムコードを制御回路１０３に出力する。
制御回路１０３は、自己の計時時刻を前記タイムコードに対応する正確な現在時刻に修正すると共に、前記正確な現在時刻に対応する制御信号をモータドライバ回路１０４に出力する。モータドライバ回路１０４は、前記制御信号に対応する駆動信号によってモータ１０５を回転駆動し、モータ１０５は輪列１０６を介して表示部１０７の時刻針を回転駆動し、表示部１０７に前記タイムコードに対応する正確な現在時刻のアナログ表示を行う。
【００１５】
次に、標準電波信号を受信するか否かの切り換え操作について説明する。
入力回路１１０は、竜頭３０４の状態に応じた操作信号を出力する。制御回路１０３は、入力回路１１０からの操作信号に基づいて、図３の矢印Ａで示すように、竜頭３０４が収納位置（状態「０」）から１段引き操作した位置（状態「１」）にされた後に再び収納位置（状態「０」）への戻し操作（受信オンモード操作）が行われたか否かを判断する（ステップＳ３０１）。
【００１６】
処理ステップＳ３０１において、制御回路１０３は、前記操作信号に基づいて前記受信オンモード操作が行われたと判断した場合、定期的な自動受信をオンする受信オンモードに設定し（ステップＳ３０２）、受信回路１０９に電源供給することによって受信回路１０９の受信動作をオンにして強制的に標準電波信号の受信を行い、時刻修正を行う（ステップＳ３０３）。
処理ステップＳ３０１において、制御回路１０３は、前記受信オンモード操作が行われていないと判断した場合、図３の矢印Ｂに示すように、竜頭３０４が収納位置（状態「０」）から１段引きした位置（状態「１」）に留まる１段引き操作（受信オフモード操作）が行われたか否かを判断する（ステップＳ３０４）。即ち、制御回路１０３は、竜頭３０４が手動操作によって時刻修正が可能な１段引きした位置に位置するように操作されたか否かを判断する。
【００１７】
処理ステップＳ３０４において、制御回路１０３は、前記操作信号に基づいて、前記受信オフモード操作が行われたと判断した場合、以降の自動受信動作をオフする受信オフモードに設定する（ステップＳ３０５）。この状態で、竜頭３０４を回転操作することにより、手動操作によって時刻修正を行うことができる。
処理ステップＳ３０４において、制御回路１０３は、前記操作信号に基づいて、前記受信オフモード操作が行われていないと判断した場合には処理を終了する。
【００１８】
以上のように、本第１の実施の形態によれば、竜頭３０４を手動による時刻修正位置にしたとき、自動受信動作をオフにするようにしている。この状態で、竜頭３０４を回転操作することにより、手動操作によって時刻修正を行うことができる。
このようにして、使用者は受信動作をオフにすることを意識することなく、時計を通常使用する流れの中で受信動作をオフにすることが可能になるため、タイムコードを自動受信するか否かの設定が簡単で、且つ、タイムコードを適正に受信できない環境下での受信動作による電力の浪費を抑制することが可能になる。
【００１９】
また、使用者は、タイムコードが受信できる環境下にいるか否かに応じて、受信動作のオン、オフ切り換えを容易に行うことが可能になる。
また、受信動作のオン、オフ切り換えを意識することなく、電波時計の通常使用の流れに沿った操作を行うことにより、受信動作のオン、オフ切換を行うことができ、違和感のない操作を行うことが可能になる。
【００２０】
図４は、本発明の第２の実施の形態の処理を示すフローチャートであり、主として、制御回路１０３の処理を示している。
また、図５は、本発明の第２の実施の形態の動作を説明するための外観図であり、図３と同一部分には同一符号を付している。
以下、図１、図４、図５を用いて、本発明の第２の実施の形態の動作を説明する。尚、動作は、主として前記第１の実施の形態と相違する部分について説明する。
【００２１】
標準電波信号を受信するか否かの切り換え操作について説明すると、先ず、入力回路１１０は、竜頭３０４の状態に応じた操作信号を出力する。制御回路１０３は、入力回路１１０からの操作信号に基づいて、図５の矢印Ｃで示すように、竜頭３０４が収納位置（状態「０」）から１段引きした位置（状態「１」）に操作された後に再び収納位置（状態「０」）への戻し操作（受信オンモード操作）が行われたか否かを判断する（ステップＳ４０１）。
【００２２】
処理ステップＳ４０１において、制御回路１０３は、前記操作信号に基づいて、前記受信オンモード操作が行われたと判断した場合、定期的な自動受信をオンする受信オンモードに設定し（ステップＳ４０２）、受信回路１０９に電源供給することによって受信回路１０９の受信動作をオンにして強制的に標準電波信号の受信を行い、時刻修正を行う（ステップＳ４０３）。
一方、処理ステップＳ４０１において、制御回路１０３は、前記受信オンモード操作が行われていないと判断した場合、図３の矢印Ｄに示すように、竜頭３０４が収納位置（状態「０」）から２段引きした位置（状態「２」）に留まる２段引き操作（受信オフモード操作）が行われたか否かを判断する（ステップＳ４０４）。即ち、制御回路１０３は、竜頭３０４が手動操作によって時刻修正が可能な２段引きした位置に移動操作されたか否かを判断する。
【００２３】
処理ステップＳ４０４において、制御回路１０３は、前記操作信号に基づいて、前記受信オフモード操作が行われたと判断した場合、以降の自動受信動作をオフする受信オフモードに設定する（ステップＳ４０５）。受信オフモード操作位置では、竜頭３０４を回転操作することによって、手動による時刻修正操作が行われる。尚、１段引き操作した位置は、例えばカレンダ（曜日や日付）の修正位置である。
処理ステップＳ４０４において、制御回路１０３は、前記操作信号に基づいて、前記受信オフモード操作が行われていないと判断した場合には処理を終了する。
【００２４】
以上のように、本第２の実施の形態によれば前記第１の実施の形態と同様に、受信動作をオフにすることを意識することなく、時計を通常使用する状態で受信動作をオフにすることが可能になるため、タイムコードを自動受信するか否かの設定が簡単で、且つ、タイムコードを適正に受信できない環境下での受信動作による電力の浪費を抑制することが可能になる等の効果を奏する。
【００２５】
図６は、本発明の第３の実施の形態の処理を示すフローチャートであり、主として、制御回路１０３の処理を示している。
また、図７は、本発明の第３の実施の形態の動作を説明するための外観図であり、図３と同一部分には同一符号を付している。
以下、図１、図６、図７を用いて、本発明の第３の実施の形態の動作を説明する。尚、動作は、主として前記第１、第２の実施の形態と相違する部分について説明する。
【００２６】
標準電波信号を受信するか否かの切り換え操作について説明すると、先ず、入力回路１１０は、竜頭３０４の状態に応じた操作信号を出力する。制御回路１０３は、入力回路１１０からの操作信号に基づいて、図７の矢印Ｅで示すように、竜頭３０４が収納位置（状態「０」）から１段押し込まれた位置に操作（受信オンモード操作）されたか否かを判断する（ステップＳ６０１）。
処理ステップＳ６０１において、制御回路１０３は、前記操作信号に基づいて、前記受信オンモード操作が行われたと判断した場合、定期的な自動受信をオンする受信オンモードに設定し（ステップＳ６０２）、受信回路１０９に電源供給することによって受信回路１０９の受信動作をオンにして強制的に標準電波信号の受信を行い、時刻修正を行う（ステップＳ６０３）。
【００２７】
処理ステップＳ６０１において、制御回路１０３は、前記受信オンモード操作が行われていないと判断した場合、図７の矢印Ｆに示すように、竜頭３０４が収納位置（状態「０」）から１段引きした位置（状態「１」）に留まる１段引き操作（受信オフモード操作）が行われたか否かを判断する（ステップＳ６０４）。即ち、制御回路１０３は、竜頭３０４が手動操作によって時刻修正が可能な１段引きした位置に位置するように操作されたか否かを判断する。
【００２８】
処理ステップＳ６０４において、制御回路１０３は、前記操作信号に基づいて、前記受信オフモード操作が行われたと判断した場合、以降の自動受信動作をオフする受信オフモードに設定する（ステップＳ６０５）。受信オフモード操作位置では、竜頭３０４を回転操作することによって、手動による時刻修正操作が行われる。
処理ステップＳ６０４において、制御回路１０３は、前記操作信号に基づいて、前記受信オフモード操作が行われていないと判断した場合には処理を終了する。
【００２９】
以上のように、本第３の実施の形態によれば前記第１の実施の形態と同様に、受信動作をオフにすることを意識することなく、時計を通常使用する状態で受信動作をオフにすることが可能になるため、タイムコードを自動受信するか否かの設定が簡単で、且つ、タイムコードを適正に受信できない環境下での受信動作による電力の浪費を抑制することが可能になる等の効果を奏する。
【００３０】
図８は、本発明の第４の実施の形態に係る電波時計のブロック図である。
図８において、電波時計は、所定周波数の信号を出力する発振回路２０１、発振回路２０１からの信号を分周して計時動作の基準となる時間信号を出力する分周回路２０２、前記時間信号に基づく計時動作を行って時刻表時用の制御信号の出力処理や電波時計の各構成要素の制御処理あるいは後述する処理等を行う制御回路２０３、制御回路２０３からの制御信号に応答してモータ駆信号を出力するモータドライバ回路２０４、前記モータ駆動信号によって回転駆動されるモータ２０５、モータ２０５の回転を伝達する輪列２０６、輪列２０６によって回転駆動される時刻針（時針や分針等）を有する表示部２０７、タイムコードを含む標準電波信号を無線によって受信するアンテナ２０８、アンテナ２０８によって受信した標準電波信号に含まれるタイムコードを出力する受信回路２０９、竜頭（図示せず）の操作に応じた操作信号を入力する入力回路２１０、操作ボタン（図示せず）の操作に応じた操作信号を入力する入力回路２１１を備えている。
【００３１】
ここで、制御回路２０３は、時間信号を計数することによって現在時刻を計時しており、計時手段を構成している。また、制御回路２０３は計時している現在時刻を、受信したタイムコードに対応する時刻に修正する時刻修正手段、入力回路２１０からの所定の操作信号に応答して受信回路２０９の受信動作をオフに制御する制御手段を構成している。アンテナ２０８及び受信回路２０９はタイムコードを無線によって受信する受信手段を構成している。表示部２０７は表示手段を構成し、入力回路２１０は後述する竜頭とともに操作手段を構成している。また、入力回路２１１は後述する操作ボタンとともに受信動作オン操作手段を構成している。
【００３２】
図９は、本発明の第４の実施の形態の処理を示すフローチャートであり、主として、制御回路２０３の処理を示している。
また、図１０は、本発明の第４の実施の形態の動作を説明するための外観図である。電波時計は、時針３０１、分針３０２及び秒針３０３から成る時刻針と、竜頭３０４、操作ボタン３０５を備えている。竜頭３０４は矢印Ｈ方向に１段だけ引き操作可能に構成されている。
【００３３】
図８の入力回路２１０は、竜頭３０４の状態を検出して、その状態に応じた操作信号を出力する。竜頭３０４は入力回路２１０とともに操作手段を構成している。
また、操作ボタン３０５は矢印Ｇ方向に操作可能に構成されている。図８の入力回路２１１は、操作ボタン３０５の状態を検出して、その状態に応じた操作信号を出力する。操作ボタン３０５は入力回路２１１とともに受信動作オン操作手段を構成している。
【００３４】
以下、図８〜図１０を用いて、本発明の第４の実施の形態の動作を説明する。
電波時計は、分周回路２０２からの時計信号に基づく計時動作を行う通常モードでは制御回路２０３が分周回路２０２からの時計信号を計数することによって計時動作を行い、前記計時動作に対応する制御信号をモータドライバ回路２０４に出力する。モータドライバ回路２０４は、前記制御信号に対応する駆動信号によってモータ２０５を回転駆動する。モータ２０５は輪列２０６を介して表示部２０７の時刻針を回転駆動し、表示部２０７に現在時刻のアナログ表示を行う。
【００３５】
標準電波信号に含まれるタイムコードを受信して時刻修正を行う時刻修正モーでは、制御回路２０３は、受信回路２０９の電源をオンにすることによって受信回路２０９に標準電波信号の受信動作を行わせる。受信回路２０９は、アンテナ２０８によって受信した標準電波信号に含まれるタイムコードを制御回路２０３に出力する。
制御回路２０３は、自己の計時時刻を前記タイムコードに対応する正確な現在時刻に修正すると共に、前記正確な現在時刻に対応する制御信号をモータドライバ回路２０４に出力する。モータドライバ回路２０４は、前記制御信号に対応する駆動信号によってモータ２０５を回転駆動し、モータ２０５は輪列２０６を介して表示部２０７の時刻針を回転駆動し、表示部２０７に前記タイムコードに対応する正確な現在時刻のアナログ表示を行う。
【００３６】
次に、標準電波信号を受信するか否かの切り換え操作について説明する。
入力回路２１０、２１１は、竜頭３０４、操作ボタン３０５の状態に応じた操作信号を出力する。
制御回路２０３は、入力回路２１１からの操作信号に基づいて、図１０の矢印Ｇで示すように、操作ボタン３０５が操作（受信オンモード操作）されたか否かを判断する（ステップＳ５０１）。
【００３７】
処理ステップＳ５０１において、制御回路２０３は、前記操作信号に基づいて、前記受信オンモード操作が行われたと判断した場合、OLE_LINK2定期的な自動受信動作をオンする受信オンモードに設定OLE_LINK2し（ステップＳ５０２）、受信回路２０９に電源供給することによって受信回路２０９の受信動作をオンにして強制的に標準電波信号の受信を行い、時刻修正を行う（ステップＳ５０３）。
処理ステップＳ５０１において、制御回路２０３は、操作ボタン３０５の操作が行われていないと判断した場合、図１０の矢印Ｈに示すように、竜頭３０４が収納位置（状態「０」）から１段引きした位置（状態「１」）に留まる１段引き操作（受信オフモード操作）が行われたか否かを判断する（ステップＳ５０４）。即ち、制御回路２０３は、竜頭３０４が手動操作によって時刻修正が可能な１段引きした位置に位置するように操作されたか否かを判断する。
【００３８】
処理ステップＳ５０４において、制御回路２０３は、前記操作信号に基づいて、前記受信オフモード操作が行われたと判断した場合、以降の自動受信動作をオフする受信オフモードに設定する（ステップＳ５０５）。受信オフモード操作位置では、竜頭３０４を回転操作することによって、手動による時刻修正操作が行われる。
処理ステップＳ５０４において、制御回路２０３は、前記操作信号に基づいて、前記受信オフモード操作が行われていないと判断した場合には処理を終了する。
【００３９】
以上のように、本第４の実施の形態によれば、操作ボタン３０５を操作したときに標準電波信号の受信による時刻修正を行い、竜頭３０４を手動による時刻修正位置に位置させたとき、自動受信動作をオフにするようにしている。
したがって、受信動作をオフにすることを意識することなく、時計を通常使用する状態で受信動作をオフにすることが可能になるため、タイムコードを自動受信するか否かの設定が簡単で、且つ、タイムコードを適正に受信できない環境下での受信動作による電力の浪費を抑制することが可能になる。
また、使用者は、操作ボタン３０５の操作によって強制的にOLE_LINK1標準電波信号の受信による時刻修正を行OLE_LINK1うように構成しているため、タイムコードが受信できる環境下にいるか否かに応じて、受信動作のオン、オフ切り換えを容易に行うことが可能になる。
【００４０】
図１１は、本発明の第５の実施の形態に係る電波時計のブロック図で、図１と同一部分には同一符号を付している。前記第１〜第４の実施の形態はアナログ表示型電波時計の例であるが、本第５の実施の形態はデジタル表示型電波時計の例である。
図１１において、電波時計は、所定周波数の信号を出力する発振回路１０１、発振回路１０１からの信号を分周して計時動作の基準となる時間信号を出力する分周回路１０２、前記時間信号に基づく計時動作を行って時刻表時用の制御信号の出力処理や電波時計の各構成要素の制御処理あるいは後述する処理等を行う制御回路１０３、制御回路１０３からの制御信号に応答して表示部７０２を駆動するＬＣＤドライバ回路７０１、ＬＣＤドライバ回路７０１によって駆動され現在時刻等を表示する液晶表示部（ＬＣＤ）７０２、操作ボタン（図示せず）の操作に応じた操作信号を入力する入力回路７０３を備えている。
【００４１】
ここで、制御回路１０３は、時間信号を計数することによって現在時刻を計時しており、計時手段を構成している。また、制御回路１０３は計時している現在時刻を、受信したタイムコードに対応する時刻に修正する時刻修正手段、入力回路７０３からの所定の操作信号に応答して受信回路１０９の受信動作をオフに制御する制御手段を構成している。アンテナ１０８及び受信回路１０９はタイムコードを無線によって受信する受信手段を構成している。また、表示部７０２は表示手段を構成し、入力回路７０３は前記操作ボタンとともに操作手段を構成している。
【００４２】
制御回路１０３は、入力回路７０３からの操作信号に基づいて、前記操作ボタンが所定操作されて手動による時刻修正状態と判断したときに以降の自動受信動作をオフする受信オフモードに設定する。
また、前記操作ボタンが所定操作されて受信回路１０９の受信動作を強制的にオンに制御して、標準電波信号の受信による時刻修正状態と判断したときに定期的な自動受信動作をオンする受信オンモードに設定する。
【００４３】
以上のように、本第５の実施の形態によれば、受信動作をオフにすることを意識することなく、時計を通常使用する状態で受信動作をオフにすることが可能になるため、タイムコードを自動受信するか否かの設定が簡単で、且つ、タイムコードを適正に受信できない環境下での受信動作による電力の浪費を抑制することが可能になる等の効果を奏する。また、使用者は、タイムコードが受信できる環境下にいるか否かに応じて、受信動作のオン、オフ切り換えを容易に行うことが可能になる。
【産業上の利用可能性】
【００４４】
日本国のみならず米国等、時刻修正用の標準電波信号を使用している国において利用される電波時計にも適用可能である。
【図面の簡単な説明】
【００４５】
【図１】本発明の第１から第３実施の形態に共通する電波時計のブロック図である。
【図２】本発明の第１の実施の形態の処理を示すフローチャートである。
【図３】本発明の第１の実施の形態の動作を説明するための外観図である。
【図４】本発明の第２の実施の形態の処理を示すフローチャートである。
【図５】本発明の第２の実施の形態の動作を説明するための外観図である。
【図６】本発明の第３の実施の形態の処理を示すフローチャートである。
【図７】本発明の第３の実施の形態の動作を説明するための外観図である。
【図８】本発明の第４の形態に係る電波時計のブロック図である。
【図９】本発明の第４の実施の形態の処理を示すフローチャートである。
【図１０】本発明の第４の実施の形態の動作を説明するための外観図である。
【図１１】本発明の第５の形態に係る電波時計のブロック図である。
【符号の説明】
【００４６】
１０１、２０１・・・発振回路
１０２、２０２・・・分周回路
１０３、２０３・・・計時手段、時刻修正手段、制御手段を構成する制御回路
１０４、２０４・・・モータドライバ回路
１０５、２０５・・・モータ
１０６、２０６・・・輪列
１０７、２０７・・・表示手段を構成する表示部
１０８、２０８・・・受信手段を構成するアンテナ
１０９、２０９・・・受信手段を構成する受信回路
１１０、２１０・・・操作手段を構成する入力回路
２１１・・・受信動作オン操作手段を構成する入力回路
３０１・・・時刻針を構成する時針
３０２・・・時刻針を構成する分針
３０３・・・時刻針を構成する秒針
３０４・・・操作手段を構成する竜頭
３０５・・・受信動作オン操作手段を構成する操作ボタン
７０１・・・ＬＣＤドライバ回路
７０２・・・表示手段を構成する液晶表示部
７０３・・・操作手段を構成する入力回路
【図１】
2008128877.tif 000003
【図２】
2008128877.tif 000004
【図３】
2008128877.tif 000005
【図４】
2008128877.tif 000006
【図５】
2008128877.tif 000007
【図６】
2008128877.tif 000008
【図７】
2008128877.tif 000009
【図８】
2008128877.tif 000010
【図９】
2008128877.tif 000011
【図１０】
2008128877.tif 000012
【図１１】
2008128877.tif 000013